(57)【要約】【課題】傘カバーの格納時及び展開時のいずれの状態でも好適に縦壁等に支持して、品質を良好に維持できるように濡れた傘の保持管理を行なえる傘を提供する。【解決手段】先端部に石突１４を設けると共に基端に柄１６を設けた中棒１８の石突１４基部から中棒１８を中心として展開、格納自在に開閉する傘カバー２２を複数の骨材２０に支持させた傘であり、傘カバー２２の格納時に傘１０全体が支持用縦壁Ｗに沿って石突１４側を上向きで柄１６側を下向きに縦方向状態で支持させると共に、傘カバー２２の展開時に上位を支持用縦壁Ｗに近接しつつ支持用縦壁Ｗから短い間隔で離隔した石突先端１４とし、下位ＬＰを１つ又は複数の骨材２０が支持用縦壁Ｗに当着した状態として、支持用縦壁Ｗに対して展開した傘カバー２２を接線状に当てて傘を支持させる支持装置１２を備えた傘１０から構成される。【選択図】図１
2012019970.tif 000002
【特許請求の範囲】
【請求項１】
先端部に石突を設けると共に基端に柄を設けた中棒の石突基部から中棒を中心として展開、格納自在に開閉する傘カバーを複数の骨材に支持させた傘であり、
傘カバーの格納時に傘全体が支持用縦壁に沿って石突側を上向きで柄側を下向きに縦方向状態で支持させると共に、傘カバーの展開時に上位を支持用縦壁に近接しつつ支持用縦壁から短い間隔で離隔した石突先端とし、下位を１つ又は複数の骨材が支持用縦壁に当着した状態として、支持用縦壁に対して展開した傘カバーを接線状に当てて傘を支持させる支持装置を備えたことを特徴とする傘。
【請求項２】
支持装置は、吸盤と、
棒状の石突に一端を連結され他端を吸盤の基体に連結させた索条からなることを特徴とする請求項１記載の傘。
【請求項３】
棒状石突の長手と交差方向に貫通孔が設けられ、索条の石突との連結側は索条が貫通孔を通係してループを形成する態様で吸盤の基体に接続されていることを特徴とする請求項２記載の傘。
【請求項４】
索条は、傘カバーを展開して支持用縦壁に石突側を向けて支持させた状態で、縦壁に臨む直角状の床面上に柄が接地しない程度の長さに設定されていることを特徴とする請求項２又は３記載の傘。
【請求項５】
索条は、玉鎖又は打抜き鎖を含む鎖索条体からなることを特徴とする請求項２ないし４のいずれかに記載の傘。
【請求項６】
吸盤を石突に対して係止する状態と、吸盤を石突から離脱させて索条を介した自由な係合状態と、を選択自在に維持させる着脱装置を備えたことを特徴とする請求項２ないし５のいずれかに記載の傘。
【請求項７】
石突を被着するように着脱可能に取り付けた石突カバーに支持装置を取り付けたことを特徴とする請求項１、２、４ないし６のいずれかに記載の傘。
【請求項８】
石突に反射材を取り付けたことを特徴とする請求項１ないし７のいずれかに記載の傘。
【発明の詳細な説明】
【技術分野】
【０００１】
本発明は、例えば、建物の外壁、内壁、ドア、窓ガラス等の支持用縦壁に支持可能な傘に関する。
【背景技術】
【０００２】
雨傘は使用後に濡れたままにしておくと、骨や中棒が錆付いて傷んだり傘カバー等にカビが発生したりして早期に劣化するおそれがある。傘を乾かす際には、開いた状態で干しておくと雨水が傘内部に溜まらず乾くのが早い上、傘カバーにしわやカビ又は汚れが生じにくく傘を良好に維持できる。しかし、傘を開いた状態で地面等に置いておくと、風で飛ばされやすく監視する必要があった。また、傘を開いた状態だと場所をとるため、庭の無い一戸建てやマンションやアパート等の集合住宅等又はオフィスビル等では開いて乾かすことが制限されてしまう。さらに、マンションのベランダ等に傘を開いて乾かす場合には、景観を損ねたり安全面から傘が見えないようにベランダの周壁や安全柵に囲まれた下方側へ置くように求められ、傘を干す場所が制限されたり干すのが困難となる場合があった。
【０００３】
一方、傘を側壁等に寄せて立てかけた際に傘が倒れるのを防止するための技術が提案されており、例えば、特許文献１に開示されている。特許文献１のものでは、洋傘の石突きの先端に吸盤と、吸盤から立ち上がって一体的に形成された立上り取付部と、を有し、この立上り取付部を洋傘の先端部に固定して構成されている。そして、石突き先端の吸盤を床等に吸着させて傘を側壁に寄せ掛けて立てておくものであった。
【先行技術文献】
【特許文献】
【０００４】
【特許文献１】実開平４−１２９１３号公報
【発明の概要】
【発明が解決しようとする課題】
【０００５】
一般に、傘を畳んだ状態で携行する際には、傘の柄を手で持って石突先端が下方になる。特許文献１の洋傘では、吸盤部が石突き先端部に取り付けた構成であるから、使用者が歩行していたり又は立っていたり、座っている最中に、不意に石突を床面に接触させることが多く、吸盤が床面等に吸着するおそれがあった。よって、使用者が移動しようとしても傘がその場に固定されてしまって、不便で扱いに注意する必要があるうえ、時には危険を伴うおそれがあった。また、吸盤の吸着面が地面に接触するので、吸着面が汚れて吸着効果が低下したり、吸盤が早期に損傷する問題があった。また、傘の石突側を下方にして立て掛けた状態で支持するので、使用後に傘が濡れている状態では内側に水が溜まりやすく、骨が錆びたり、傘カバーにカビが生じたり汚れが固着したりする問題があった。そこで、このような使用時の問題を解消して実用性を向上しうるとともに、傘を展開した状態でも縦壁等に支持して傘を乾燥させることができ、傘を良好に維持管理できる技術の開発が望まれていた。
【０００６】
本発明は上記従来の課題に鑑みてなされたものであり、その目的は、傘カバーの格納時及び展開時のいずれの状態でも好適に支持用縦壁に支持して、傘の維持管理等を良好に行なえる傘を提供することにある。
【課題を解決するための手段】
【０００７】
上記課題を解決するために本発明は、先端部に石突１４を設けると共に基端に柄１６を設けた中棒１８の石突１４基部から中棒１８を中心として展開、格納自在に開閉する傘カバー２２を複数の骨材２０に支持させた傘であり、傘カバー２２の格納時に傘１０全体が支持用縦壁Ｗに沿って石突１４側を上向きで柄１６側を下向きに縦方向状態で支持させると共に、傘カバー２２の展開時に上位を支持用縦壁Ｗに近接しつつ支持用縦壁Ｗから短い間隔で離隔した石突先端１４とし、下位ＬＰを１つ又は複数の骨材２０が支持用縦壁Ｗに当着した状態として、支持用縦壁Ｗに対して展開した傘カバー２２を接線状に当てて傘を支持させる支持装置１２を備えたことを特徴とする傘１０から構成される。子供用、大人用、夫人用、折り畳み傘等、種々の傘に適用できる。例えば、既製の傘の石突を加工して支持装置を取り付けても良いし、支持装置付きの石突を別途製造して既製の傘の石突と交換して製造することとしてもよい。
【０００８】
また、支持装置１２は、吸盤２６と、棒状の石突１４に一端を連結され他端を吸盤２６の基体に連結させた索条２８からなることとしてもよい。
【０００９】
また、棒状石突１２の長手と交差方向に貫通孔３０が設けられ、索条２８の石突１４との連結側は索条２８が貫通孔３０を通係してループを形成する態様で吸盤２６の基体に接続されていることとしてもよい。
【００１０】
また、索条２８は、傘カバー２２を展開して支持用縦壁Ｗに石突１４側を向けて支持させた状態で、縦壁１４に臨む直角状の床面ＦＬ上に柄１６が接地しない程度の長さに設定されていることとしてもよい。
【００１１】
また、索条２８は、玉鎖又は打抜き鎖を含む鎖索条体からなることとしてもよい。
【００１２】
また、吸盤２６を石突１４に対して係止する状態ＦＸと、吸盤２６を石突１４から離脱させて索条２８を介した自由な係合状態ＦＲと、を選択自在に維持させる着脱装置３６を備えたこととしてもよい。
【００１３】
また、石突１４を被着するように着脱可能に取り付けた石突カバー４０に支持装置１２を取り付けたこととしてもよい。
【００１４】
また、石突１４に反射材２４を取り付けたこととしてもよい。
【発明の効果】
【００１５】
本発明に係る傘によれば、先端部に石突を設けると共に基端に柄を設けた中棒の石突基部から中棒を中心として展開、格納自在に開閉する傘カバーを複数の骨材に支持させた傘であり、傘カバーの格納時に傘全体が支持用縦壁に沿って石突側を上向きで柄側を下向きに縦方向状態で支持させると共に、傘カバーの展開時に上位を支持用縦壁に近接しつつ支持用縦壁から短い間隔で離隔した石突先端とし、下位を１つ又は複数の骨材が支持用縦壁に当着した状態として、支持用縦壁に対して展開した傘カバーを接線状に当てて傘を支持させる支持装置を備えたことから、傘カバーを格納した状態で濡れた傘を支持させる際に雨水が傘内部に溜まることなく良好に縦壁に傘を保持できるとともに、多数の傘を支持させる際に整列させて効率良く収納させておくことができる上、傘立てがない場所でも傘を支持できる。同時に傘カバーを展開した状態でも、上位の石突側を建物の壁や窓ガラス等に支持させつつ、骨材を壁面に当着させて安定的に支持させることができる結果、風で飛ばされたりするのを防止できるとともに、場所をとらず、良好に乾かすことができる。
【００１６】
また、支持装置は、吸盤と、棒状の石突に一端を連結され他端を吸盤の基体に連結させた索条からなる構成とすることにより、簡単な構造で支持装置を具体的に実現できる。特に、索条により支持装置で支持用縦壁に支持させた状態で、吸盤による支持に対して傘がある程度の自由度で動くので、開いた傘が風を受けた際に支持部分に強い負荷がかからず、簡単に壊れたり、支持が外れたりしにくい。さらに、支持用縦壁に吸盤を吸着させた状態でも傘本体側が自由に動くので、吸盤の吸着状態を維持しながら簡便に傘カバーを開閉操作でき、吸盤の支持用縦壁の着脱操作を手軽に行なえ使い勝手がよい。また、既製の傘を利用して簡単に、低コストで製造することができる。
【００１７】
また、棒状石突の長手と交差方向に貫通孔が設けられ、索条の石突との連結側は索条が貫通孔を通係してループを形成する態様で吸盤の基体に接続されている構成とすることにより、連結強度が高くとともに、索条と石突、吸盤との連結構成を部材点数を増やすことなく簡単な構成で確実に維持できる。また、既製の傘を簡単に加工するだけで簡単に支持装置を取り付けることができる。
【００１８】
また、索条は、傘カバーを展開して支持用縦壁に石突側を向けて支持させた状態で、縦壁に臨む直角状の床面上に柄が接地しない程度の長さに設定されている構成とすることにより、展開した傘カバーが場所をとらず邪魔になりにくいとともに、展開した傘を比較的安定した状態で支持できる。よって、例えば、マンションのベランダ等の狭い限られた場所でも傘カバーを展開させた状態で良好に支持させて乾かすことができ、実用性を向上しうる。
【００１９】
また、索条は、玉鎖又は打抜き鎖を含む鎖索条体からなる構成とすることにより、ねじれや引っ張り等を含む傘の支持状態でかかる負荷に対する耐久力を向上して連結強度を確保できるとともに、簡単な構造で索条による連結構成を具体的に実現でき、機能性とデザイン性に優れるうえ、ループ構成を簡単に行える。
【００２０】
また、吸盤を石突に対して係止する状態と、吸盤を石突から離脱させて索条を介した自由な係合状態と、を選択自在に維持させる着脱装置を備えた構成とすることにより、例えば、傘カバーを格納した状態で持ち歩いたり、雨天時に傘カバー展開して傘を差したりする際に、吸盤を石突に係止させておくことで、吸盤が邪魔になったり、吸盤が地面や床面に接触して損傷したり汚れて吸着力を低下させたりするのを良好に防止できる。さらに、吸盤を石突に係止させた状態で、傘カバーの格納時に支持用縦壁に安定的に支持させることができる。また、必要に応じて吸盤を石突から簡単に離脱させて、傘を支持用縦壁に支持させることができる。
【００２１】
また、石突を被着するように着脱可能に取り付けた石突カバーに支持装置を取り付けた構成とすることにより、必要に応じて支持装置を傘本体に対して着脱して、使用することができ、不要時等に支持装置を取り外すことができる。また、既存の傘を利用して、傘側を加工することなく支持装置を有する石突カバーを取り付けるだけで、簡単に製造することができる。
【００２２】
また、石突に反射材を取り付けた構成とすることにより、反射材が光を反射するので、例えば夜間等に使用者の安全性を向上できる。
【図面の簡単な説明】
【００２３】
【図１】本発明の第１実施形態に係る傘の説明図であり、（ａ）傘カバーを格納した状態での正面説明図、（ｂ）傘カバーを展開した状態での正面説明図である。
【図２】図１の傘の支持装置近傍の拡大斜視図である。
【図３】図１の傘の要部拡大図及び作用説明図である。
【図４】図１の傘のＡ−Ａ線矢視図である。
【図５】図１の傘の吸盤を着脱装置により係止させた作用説明図である。
【図６】図１の傘を傘カバーを展開した状態でベランダに面する窓ガラスに支持させた作用説明図である。
【図７】図１の傘を支持用縦壁に複数個支持させた作用説明図である。
【図８】本発明の第２実施形態に係る傘の要部を拡大した分解説明図である。
【発明を実施するための形態】
【００２４】
以下添付図面を参照しつつ本発明の傘の実施の形態について説明する。本発明に係る傘は、例えば、建物の内壁や外壁、ドア、窓ガラス等に傘の格納状態及び展開状態で支持させることができる雨傘である。図１ないし図７は、本発明の傘の第１の実施形態を示している。図１、図２に示すように、本実施形態において、傘１０は、例えば、差し傘からなり、支持用縦壁Ｗに対する支持装置１２を備えている。本実施形態では、傘１０を支持させる支持用縦壁（以下、単に「縦壁」ともいう）Ｗは、例えば、家、マンションやビル等の建物の外壁又は内壁、ドア、窓ガラス等であり、特に壁面が平滑な面で形成された平滑縦壁からなる。
【００２５】
本実施形態では、図１に示すように、傘１０の傘本体１１の構成は、一般に普及している周知のこうもり傘（洋傘）と略同じ構成であり、先端部に石突１４を設けるとともに基端に柄１６を設けた中棒１８と、中棒１８の石突１４の基部に中棒１８を中心として放射状に取り付けられた複数の骨材２０と、複数の骨材２０に全体を被覆するように張られて支持された傘地（傘布）としての傘カバー２２と、を含む。そして、傘本体１１の傘カバー２２は、複数の骨材２０により中棒１８を中心として格納、展開自在に開閉する。なお、図１（ａ）では、格納された傘カバー２２は、中棒１８に巻かれてバンド２３で止められている。本実施形態では、中棒１８の石突１４は、例えば、細長棒状に設けられ、略円柱形状又は先端側に向けて次第に細くなるテーパ形状となっている。棒状の石突１４の長手方向中間位置には、その長手と交差方向すなわち径方向に貫通された貫通孔３０が形成されている。中棒１８の柄１６は、例えば、略Ｊ字状に曲折したハンドルで形成されている。
【００２６】
本実施形態では、図２に示すように、石突１４には、光を反射する反射材２４が取り付けられている。反射材２４は、例えば、一方の面に反射面が形成され他方の面に粘着面が形成された周知の反射テープからなり、石突１４の基端側と先端側の周面に巻き付けられている。例えば、雨天時の夜間は視界が特に悪く歩行者等を見にくいが、自動車のヘッドライト等の光を石突１４が受けて光を反射して光るので、自動車の運転手等は傘の使用者を視認しやすく、使用者の安全性を向上できる。
【００２７】
本実施形態では、傘本体１１の石突１４に支持装置１２が取り付けられている。支持装置１２は、図１、図２に示すように、傘を閉じた状態すなわち傘カバー２２の格納時（図１（ａ））と、傘を開いた状態すなわち傘カバー２２の展開時（図１（ｂ））と、のいずれの状態でも選択的に傘全体を支持用縦壁Ｗに支持させることができる支持手段である。具体的には、図１（ａ）に示すように、支持装置１２は、傘カバー２２の格納時には、傘１０全体が支持用縦壁Ｗに沿って石突１４側を上向きで柄１６側を下向きに縦方向状態で支持させる。さらに、図１（ｂ）に示すように、支持装置１２は、傘カバー２２の展開時には、上位ＨＰを支持用縦壁Ｗに近接しつつ支持用縦壁Ｗから短い間隔で離隔した石突１４先端とし、下位ＬＰを１つ又は複数の骨材２０が支持用縦壁Ｗに当着した状態として、支持用縦壁Ｗに対して展開した傘カバー２２を接線状に当てて傘１０を支持させる。すなわち、傘カバー２２の展開時では、支持装置１２は、石突１４を高位置、柄１６を低位置として中棒１８の長手方向を支持用縦壁Ｗに対して斜めに傾斜し、かつ傘カバー２２の外面側を縦壁Ｗ側に向けつつ縦壁Ｗに近接させるように傘１０全体を斜めに傾けた状態で支持している。支持装置１２は、上位ＨＰ側で石突１４側と縦壁Ｗとを係着するとともに、開いた傘１０の自重によって係着部位まわりのモーメントにより縦壁Ｗにもたれかかり、下位ＬＰ側で骨材２０に支持された傘カバー２２の一部を縦壁Ｗ面に当着させつつ縦壁Ｗを若干押圧する状態で、バランスをとって安定的に傘１０全体を支持する。本実施形態では、支持装置１２は、図２、図３、図４にも示すように、例えば、吸盤２６と、石突１４に一端側を連結され他端を吸盤２６側に連結させた索条２８と、を含む。
【００２８】
吸盤２６は、平滑な支持用縦壁Ｗに対して吸着、離脱可能に直接吸着固定される係着部材となっている。吸盤２６は、吸着面２６ａが形成された弾性素材からなる皿状の吸盤本体部２６ｂと、吸盤本体部２６ｂから吸着面２６ａとは反対側に突出した吸盤基体２６ｃと、が一体的に設けられている。また、吸盤本体２６ａの吸着面とは反対となる外面側には、吸盤本体２６の縦壁に対する吸着を解除して離脱操作するための小さなつまみ２６ｄが一体的に形成されている。吸盤基体２６ｃは、例えば、円柱状に形成されており、その軸方向と交差方向すなわち径方向に貫通した通係孔３２が形成されている。さらに、吸盤基体２６ｃには、その端面から軸方向に沿ってある程度の深さで内側に穿設された係止用穴３４が形成されている。係止用穴３４は、後述の着脱装置３６の構成要素となる。
【００２９】
索条２８は、吸盤２６と傘本体１１とを互いにある程度自由に可動なように連係する可動連係手段またはフリー係合手段である。すなわち、索条２８は、図３の二点鎖線に示すように、その索条の連結長さの範囲内で吸盤２６と傘本体１１側とが相対的に自由に可動する可動域を確保した自由な係合状態ＦＲで吸盤２６と石突１４とを接続している。また、索条２８は、吸盤２６を支持用縦壁Ｗに吸着させた状態で傘本体を吊支状に支持する。支持装置１２では、例えば、索条を使用せずに吸盤２６と石突１４とを所定角度で固定連結する構成や軸周りに回動可能に枢支連結する構成も考えられる。しかしながら、吸盤２６と石突１４とを固定する構成や枢支連結する構成の場合には、例えば、強い風が吹いた際に吸盤２６と石突１４との連結固定部分にかかる負荷が大きく、容易に壊れたり、吸盤が支持用縦壁から離脱したりするおそれがある。また、傘カバー２２の展開時及び格納時のいずれの状態でも、支持させる際に取り付け角度等が制限されやすく、吸盤の支持用縦壁への取付作業又は離脱作業が阻害されるおそれがある。これに対し、本実施形態のように、索条２８による連結構成により、吸盤２６を支持用縦壁Ｗに吸着固定させた際に、傘本体１１側がある程度自由に可動する係合状態ＦＲを実現しているので、傘カバーを展開した状態で風が吹いても連結部分に負荷がかかりにくくなり、簡単に支持装置が壊れたり吸盤が離脱したりしにくく、支持状態を良好に維持できる。さらに、吸盤２６を縦壁Ｗに吸着させた状態でも、傘カバー２２の展開と格納との変更操作（傘の開閉操作）を簡単にかつスムーズに行うことができ、縦壁への支持及び離脱作業を簡便に行え、使い勝手がよい。
【００３０】
本実施形態では、索条２８は、例えば、球をリンクを介して所定のピッチで接続された金属製の玉鎖からなり、玉鎖の両端側の球どうしをコネクタで接続して無端ループ状に形成されている。そして、索条２８は、石突１４との連結側では石突１４の貫通孔３０を通係し、吸盤２６との連結側では吸盤基体２６ｃの通係穴３２を通係してループを形成する態様で石突１４と吸盤基体２６ｃとを接続している。ループ構成の索条２８は、簡単な構成であっても、例えば、ねじれや引っ張りに対する耐久力が高く、良好に支持状態を維持できる。索条２８の長さは、例えば、石突１４先端と吸盤２６の基体２６ｃとの最大離隔距離が数ｃｍ（例えば、本実施形態では約１〜３ｃｍ）程度となる長さに設定されている。索条２８は、図２、図３に示すように、吸盤の自由な可動域を確保する長さであるとともに、傘カバー２４を展開して支持用縦壁Ｗに石突１４側を向けて支持させた状態で支持用縦壁Ｗに臨む直角状の床面ＦＬ上に柄１６が接地しない程度の長さに設定されている。よって、本実施形態では、図１（ｂ）の傘の支持状態では、傾けて支持される展開した傘カバー２２（骨材２０）の下端ＥＧよりも柄１６が高い位置に設定されるように、索条２８の長さが設定されている。これにより、傘の展開時には上位ＨＰの吸盤２６と下位ＬＰの骨材２０の縦璧Ｗへの当着部とが協働して、支持用縦壁Ｗに安定的に支持させることができる。さらに、その支持状態では、傘カバー２２を展開した状態であっても、傘カバーが占有するスペースＳ１を比較的狭くすることができ（図６参照）、従来のように地面等に傘を置くだけの場合と比較して、支持用縦壁Ｗの周辺で邪魔になりにくい。なお、索条２８の長さは短すぎると吸盤２６に対する傘本体側の自由度が無くなる。逆に索条２８が長すぎると中棒１８の柄１６が床面ＦＬに当着し、さらに傘カバー２２を支持する骨材２０の一部が支持用縦壁Ｗに当着せず不安定になるうえ、傘カバーの占拠スペースも広くなるので、上記のような長さが好適である。なお、索条２８は、例えば、打抜き鎖その他の鎖索条体をループ構成としてもよい。また、索条２８は、ループ構成に限らず、例えば、ワイヤーロープや合成樹脂製の紐等、ある程度強度があるものであれば、その他任意の索条でもよい。それらの索条と石突１４、吸盤基体２６ｃとの連結は、例えば、索条の端部を結びつけたり、円環や棒状ストッパ等の金具を介して連結したり、接着剤等で固定したり、その他の任意の連結手段で連結してもよい。
【００３１】
さらに、本実施形態では、図２、図３、図５に示すように、吸盤２６を石突１４に対して係止する状態ＦＸ（図５参照）と、吸盤２６を石突１４から離脱させて索条２８を介した自由な係合状態ＦＲ（図２、図３参照）と、を選択自在に維持させる着脱装置３６を備えている。すなわち、本実施形態に係る傘１０は、傘本体１１と、石突１４側に取付けられ吸盤２６及び索条２８を含む支持装置１２と、吸盤２６の石突１４に対する着脱装置３６と、を備えているといえる。本実施形態では、着脱装置３６は、例えば、上述の端面に係止用穴３４が凹設された吸盤基体２６ｃと、該石突１４に固定され係止用穴３４に挿脱自在に嵌合するピン部材３８と、を有する。ピン部材３８は、例えば、吸盤基体２６ｃ側の係止用穴３４の内径と略同じ大きさの外径の円柱体で形成されており、基部側を石突１４に埋め込ませて接着剤等により固定されている。なお、ピン部材３８の突出方向の中間にくびれ部が形成されている。ピン部材３８は、例えば、石突１４の長手中間位置でかつ貫通孔３０の位置近傍であって、石突１４の長手及び貫通孔３０の貫通方向とは交差方向に突設されている。そして、ピン部材３８に吸盤２６の係止用穴３４を嵌合させて吸盤２６に石突１４に係止した状態では、吸盤２６は吸着面２６ａが石突の長手とは交差方向に向いた状態で石突１４の側方に配置される。また、ピン部材３８は、係止させた吸盤２６の上端が石突１４の先端から突出しないように設定されており、石突１４を下にして石突先端を床や地面等に着けた際に、吸盤２６が床や地面等と接触しないようになっている。これにより、例えば、傘１０を支持用縦壁Ｗに支持させないで、傘カバーを格納した状態で持ち歩いたり、雨天時に傘カバー展開して傘を差したりする際には、吸盤２６を石突１４に係止させおくことで、吸盤が邪魔になったり、吸盤が地面や床に接触して損傷したり汚れて吸着力を低下させたりするのを良好に防止できる。さらに、傘カバー２２の格納時に支持用縦壁Ｗに支持させる際にも、吸盤２６を石突１４に係止させた状態で安定的に支持させることができる。
【００３２】
次に、本実施形態に係る傘１０の作用について説明する。例えば、図１（ａ）に示すように、傘カバー２２を格納した状態で傘１０を建物の壁やドア等の支持用縦壁Ｗに支持させる際には、石突１４側を上向きで柄１６側を下向きに縦方向状態とし、吸盤２６を支持用縦壁Ｗに吸着させて、傘１０を縦壁Ｗ面に沿って支持させる。これにより、傘が濡れている場合に雨水が傘内部に溜まるのを防止して良好に傘を保持できる。また、多数の傘１０を支持させる際にも効率良く傘を収納させて管理でき、所望の傘を素早く手にとることができる。なお、図１（ａ）では、吸盤２６は、石突きから離脱して索条２８を介して自由な係合状態となっているが、図５に示すように、着脱装置２６により吸盤２６を石突１４に係止させ、傘本体が安定した状態で支持用縦壁Ｗに支持させることとしてもよい。一方、例えば、図１（ｂ）に示すように、傘カバー２２を展開した状態で傘１０を支持用縦壁Ｗに支持させて乾かす際には、まず、上記同様に例えば傘カバー２２を格納した状態で石突１４側を支持用縦壁に近接させて吸盤２６で吸着固定した後に、柄１６を手でもって傘カバー２２の展開操作を行なう。この際、吸盤２６と石突１４は索条２８で連結されて固定された吸盤に対し傘本体がある程度自由に動かせるので、スムーズに展開操作を行える。そして、傘の一つ又は複数の骨材２０を支持用縦壁Ｗに当着させて安定的に支持させることができる。これにより、傘を展開した状態でも支持用縦壁Ｗを利用して安定して支持させることができ、良好に乾かすことができる。さらに、例えば、展開した傘カバーが風を受けても、傘本体側がある程度自由に動くので支持装置部分が受ける負荷が比較的軽く、早期に損傷したり、吸盤が外れたりするのを良好に防止できる。なお、傘を離脱する際には、上記とは逆に簡単に傘カバーを格納操作した後で吸盤を簡単に取り外して、傘を回収することができる。
【００３３】
また、例えば、図６では、マンション等のベランダＢＲに展開した傘１０を支持させた場合を示しており、ベランダＢＲに面した窓ガラスを支持用縦壁Ｗとして吸盤２６を吸着させて支持させている。この際、傘１０のガラスへの支持位置は、例えば、外側から傘が見えないようにベランダの周壁ＤＷで囲まれた下方側、すなわち床ＦＬ側に近い下方側で支持させる。索条２８は、比較的短めに設定されているので、柄１６が床面ＦＬに設置しない状態で配置される。これにより、従来の態様のように開いた傘を骨材の端部と柄とを床面ＦＬ上に置く場合（図６、二点鎖線ＵＭ）と比較して、本実施形態の傘１０では傘カバー２２が占めるスペースＳ１が、従来の態様で配置した傘の傘カバーが占めるスペースＳ２よりも狭くなる。すなわち、本実施形態の傘１０では傘カバー２２とベランダの周壁ＤＷとの間のスペースＲ１を、従来の態様で傘ＵＭを設置した場合の空きスペースＲ２よりも広く確保でき、ベランダのような限定されたスペースでも有効に実用できる。同様に、傘カバーを展開した傘が場所をとらずに支持できるので、オフィス、ビルや公共施設等の室内で支持させても、傘が人の邪魔になりにくく好適に利用できる。さらに、図７に示すように、傘カバーを展開させた状態でも、複数の傘１０を同時に支持用縦壁Ｗに縦方向及び横方向に並べて支持させることもできる。よって、例えば、家族等の複数の傘１０を同時に開いた状態で乾かす場合でも、スペースをとることなく効率良く乾かすことができる。また、図７のような支持態様は、傘売り場のショーウインドウ等に多数の傘を広げた状態で支持させることができ、複数の展開した傘を効率良く配置して展示することができる。なお、本実施形態に係る傘１０は、例えば、一軒家、マンション等の集合住宅、レストラン、店舗、オフィス、ビル、役所や体育間等の公共施設等、屋内屋外問わず、吸盤を吸着させうる平滑な縦壁面があれば、その平滑な縦壁を利用して好適に支持できる。
【００３４】
次に、図８を参照しつつ、本発明の第２の実施形態の傘について説明する。上記した第１実施形態と同一構成、同一部材には、同一符号を付し、その詳細な説明は省略する。図８に示すように、本実施形態に係る傘１０−２は、第１実施形態と略同じ構成であるが、石突１４への支持装置１２（１２ａ）の取付構造が異なっている。本実施形態では、支持装置１２ａは、石突１４を被着するように着脱可能に取り付けた石突カバー４０に取り付けられている。石突カバー４０は、例えば、石突１４よりも若干大きな円筒状に形成されており、一端側を閉鎖し、他端側を開口して円筒軸方向に沿って石突１４を嵌挿させる嵌挿穴４２が形成されている。石突カバー４０は、石突１４に被着させた状態で固定するために蝶ネジ等からなる固定機構４４を有しており、円筒軸方向と交差方向に螺進退して先端を石突１４に押圧させて固定及び解除を変更できる。なお、固定機構４４は、石突カバー４０が石突１４から簡単に外れないように着脱自在に固定させる構成であれば任意でもよい。石突カバー４０の一端側には、長手方向と交差方向に貫通された貫通孔４６が形成されており、貫通孔４６に索条２８が通係されて連結されている。さらに、石突カバー４０にはピン部材３８が固定されており着脱装置３６が設けられている。また、石突カバー４０に反射材２４が取り付けられている。本実施形態に係る傘でも上記実施形態同様の作用効果を奏し得る。さらに、本実施形態では、石突１４に貫通孔を穿孔するなどの傘本体１１側への加工を何ら施す必要がなく、石突カバー４０をアタッチメントとして傘本体に着脱自在に装着させることだけが支持装置１２を備えた傘を構成することができる。よって、既製の傘に簡単に後付け的に取付けることができるとともに、必要に応じて支持装置１２を備えた石突カバー４０を離脱させて支持装置の無い通常の傘として利用することもできる。
【産業上の利用可能性】
【００３５】
本発明の傘は、傘カバーを格納した状態、傘カバーを展開した状態のいずれの状態でも建物等の縦壁や窓ガラス等に支持するのに有効である。
【符号の説明】
【００３６】
１０    傘
１２    支持装置
１４    石突
１６    柄
１８    中棒
２０    骨材
２２    傘カバー
２４    反射材
２６    吸盤
２８    索条
３０    貫通孔
３６    着脱装置
４０    石突カバー
Ｗ    支持用縦壁
【図１】
2012019970.tif 000003
【図２】
2012019970.tif 000004
【図３】
2012019970.tif 000005
【図４】
2012019970.tif 000006
【図５】
2012019970.tif 000007
【図６】
2012019970.tif 000008
【図７】
2012019970.tif 000009
【図８】
2012019970.tif 000010